(57)【要約】      （修正有）【課題】スマートフォンを手で握ることなく、いかなる場所においても自由に会話でき、装・脱着する保持部材を、係止バンドを使用者の頭部に架けて一時的に装着するスマートフォン保持具を提供する。【解決手段】スマートフォン保持具であって、スマートフォン１を保持し、使用者の頭部に架ける係止バンド２を設け、係止バンド２の一端に、保持部材を設け、保持部材の内側に、スマートフォン１を吸着・固定する吸盤を一個又は複数個設けたことを特徴とする。【選択図】図３
0003214844.tif 000002
【実用新案登録請求の範囲】
【請求項１】
スマートフォン保持具であって、
該スマートフォン（１）を保持し、使用者の頭部に架ける係止バンド（２）を設け、
該係止バンド（２）の一端に、保持部材（３）を設け、
該保持部材（３）の内側に、スマートフォン（１）を吸着・固定する吸盤（４）を一個又は複数個設けた
ことを特徴とするスマートフォン保持具。
【請求項２】
前記保持部材（３）は、
両端にストッパー（３ａ）（３ａ´）を有する固定板材（３Ａ）と、
該板材（３Ａ）と直交し、水平方向にスライド可能なスライド板材（３Ｂ）からなり、
前記固定板材（３Ａ）は、中央部にブラケット（３ｂ）を設け、前記係止バンド（２）と回動自在に枢着して設け、
前記スライド板材（３Ｂ）は、上・下に吸盤（４）を設け、
吸着・固定するスマートフォン（１）を、前記両ストッパー（３ａ）（３ａ´）方向に移動可能に形成した
ことを特徴とする請求項１記載のスマートフォン保持具。
【考案の詳細な説明】
【技術分野】
【０００１】
この考案は、スマートフォン保持具に関する。  
【背景技術】
【０００２】
近年、スマートフォン（携帯電話機）は、小型でありながら、電話機能は勿論、テレビ機能、カメラ、ビデオ機能等の沢山の機能を有しており、大変便利なグッズであり現代人にとっては一日たりとも手離せないものである。
【０００３】
しかしながら、スマートフォンでの通話は、片方の手で持って行うものであり、他の作業を行いながらの会話の内容を筆記する場合等は、肩と耳とでスマートフォンを挟み頭部をかしげながら行っており、長時間の対応は肩も凝り不便であり、通話と他の作業とを併用する、即ち、一緒に用いるには不便であり、特に自動車の運転中に使用すれば、注意力が薄れ、思わぬ交通事故を起す恐れがあり、極めて危険であり罰則さえ設けられている。
【０００４】
そこで、この解決策として携帯電話機にホルダーを設けて、両手をフリーにして他の作業もできる種々の商品が開発され、商品として販売されている。例えば、特許文献１、特許文献２のように。
【先行技術文献】
【特許文献】
【０００５】
【特許文献１】特願２００５−１６２１７８号公報
【特許文献２】特願２０００−３１６６２３号公報
【０００６】
しかし、特許文献１に示された携帯電話機ホルダーは、携帯電話機を装着し、あるいは、抜き取ることができるよう合成樹脂板で形成加工したホルダーであり、該ホルダーの裏面に吸盤を取り付けたものであり、この吸盤付ホルダーを自動車の運転側ドアの窓ガラスに吸着して使用するものである。
しかし、歩行中や自動車等のドアの窓ガラスが存在しない場所での使用，即ち、歩行中等には使用出来ないものであった。
【０００７】
また、特許文献２に示された携帯電話機ホルダーは、抜け出し防止の蓋を付帯しない柔軟性のあるフック付のソフトケースを外套や背広の胸ポケット等に携帯するものであり、会話中に使用できるホルダーではなかった。
【０００８】
さらに、携帯電話機を直接手には持たず、例えば、胸のポケットに収納しておき、イヤホーンを介して有線・無線で装着するものもあるが、イヤホーンを長時間にわたって耳に嵌め込んで使用するには鬱陶しく、また、耳が痒くなり外してしまう場合も多く見受けられた。
【考案の開示】
【考案が解決しようとする課題】
【０００９】
上記課題を解決する為にこの考案は、スマートフォンを手で握ることなく、いかなる場所においても自由に会話でき、装・脱着する保持部材を、係止バンドを使用者の頭部に架けて一時的に装着するスマートフォン保持具を開発・提供することにある。
【課題を解決するための手段】
【００１０】
このスマートフォン保持具は、
該スマートフォンを保持し、使用者の頭部に架ける係止バンドを設け、
該係止バンドの一端に、保持部材を設け、
該保持部材の内側に、スマートフォンを吸着・固定する吸盤を一個又は複数個設けた
ことを特徴とする。
【００１１】
また、前記保持部材は、
両端にストッパーを有する固定板材と、
該板材と直交し、水平方向にスライド可能なスライド板材からなり、
前記固定板材は、中央部にブラケットを設け、前記係止バンドと回動自在に枢着して設け、
前記スライド板材は、上・下に吸盤を設け、
吸着・固定するスマートフォンを、前記両ストッパー方向に移動にした
ことを特徴とする。
【考案の効果】
【００１２】
この考案によると、スマートフォンを吸盤で装着する保持部材を、頭部の係止バンドに装着することにより、手を使用することなくスマートフォンで通話ができ、極めて便利である等の有益なる効果を奏する。
【図面の簡単な説明】
【００１３】
【図１】この考案の一実施例を示し、（Ａ）は、平面図であり、（Ｂ）は、正面図である。
【図２】この考案に使用する保持部材の一実施例を示す右側面図である。
【図３】この考案の一実施例の使用状態の一例を示す斜視図である。
【考案を実施するための形態】
【００１４】
以下、この考案について詳細に説明する。尚、この考案においては、以下の記述に限定されるものではなく、この要旨を逸脱しない範囲においては適宜変更可能である。
【実施例】
【００１５】
そこで、この考案の一実施例を図１〜図３に基づいて説明すると、スマートフォン保持具であって、該スマートフォン（１）を保持し、使用者の頭部に架ける係止バンド（２）を設け、該係止バンド（２）の一端に、保持部材（３）を設け、該保持部材（３）の内側に、スマートフォン（１）を吸着・固定する吸盤（４）を一個又は複数個設けたことを特徴とするスマートフォン保持具から構成されるものである。
【００１６】
この考案をより詳しく説明すると、係止バンド（２）は、図１に示すように、中央部が幅広に形成することにより、スマートフォンを安定して保持できるよう構成されており、素材は、金属、合成樹脂、あるいは、これらと他の部材との複合体であって、係止バンド（２）は内側に向けて不勢するよう構成されていてもよい。
【００１７】
また、保持部材（３）は、係止バンド（２）の一端に接続されており、内側にスマートフォン（１）を保持する１個または複数個の吸盤（４）を装着している。
これにより、スマートフォン（１）を使用者の話易い位置、あるいは、聴き易い位置に、保持部材（３）の範囲内で移動させたり、或いは、スマートフォン（１）の角度を傾斜させて吸盤（４）と吸着させて調節することができる〔（スマートフォン（１）の重さ、吸盤（４）の個数および、吸引力にもよるが〕）。
【００１８】
近年、特にスマートフォン（１）のような通信機器は、性能がよく、受・送信の会話は使用者の耳や口と多少離れた箇所であっても感度はよく、問題はない。しかし、場合によっては、周りを配慮して小声で話す必要があり、スマートフォン（１）の位置を口に近づけるよう移動する必要もある。
【００１９】
次に、この考案に使用する前記保持部材（３）の他の実施例を述べると、保持部材は、両端にストッパー（３ａ）（３ａ´）を有する固定板材（３Ａ）と、該板材（３Ａ）と直交し、水平方向にスライド可能なスライド板材（３Ｂ）からなり、前記固定板材（３Ａ）は、中央部にブラケット（３ｂ）を設けると共に枢支軸（３ｃ）を跨座し、前記係止バンド（２）と回動自在に枢着して設け、前記スライド板材（３Ｂ）は、上・下に吸盤（４）を設け、吸着・固定するスマートフォン（１）を、前記両ストッパー（３ａ）（３ａ´）方向に移動可能に形成したことを特徴とするスマートフォン保持具である。
【００２０】
保持部材（３）は、係止バンド（２）と枢支可能に接続された固定板材（３Ａ）と、該固定板材（３Ａ）にスライド可能なスライド板材（３Ｂ）からなり、該スライド板材（３Ｂ）は、上部材（３ｄ）と下部材（３ｄ´）からなり、それぞれに吸盤（４）、（４）を設けているが、上部材（３ｄ）と下部材（３ｄ´）とは一体に構成されている。そして、上部材（３ｄ）と下部材（３ｄ´）とで一体に構成されたスライド板材（３Ｂ）は、図１（Ａ）及び図２に示すように、固定板材（３Ａ）の両端に設けたストッパー（３ａ）（３ａ´）迄の範囲内で前後方向（装着した状態で）に移動可能に構成されている。
【００２１】
前記枢支軸（３ｃ）を設けることにより、図１（Ｂ）に示すよう保持部材（３）を所定角度（α）（α´）傾けることが可能となり、スマートフォン（１）を使用者の顔面に近かづけたり離したりしてスマートフォン（１）の位置を調整することができる。
【００２２】
また、（５）は、ネジであり、上・下で３個設けたが、スライド板材（３Ｂ）を使用する、即ち，吸盤（４）に吸着されたスマートフォン（１）の位置を変更する際、ネジ（５）を弛め、スライド板材（３Ｂ）をストッパー（３ａあるいは３ｂ）方向に移動させ、その移動させた位置で、再び、ネジを締め、前記固定板材（３Ａ）に向け圧着するものである。
【産業上の利用可能性】
【００２３】
この考案のスマートフォン保持具の技術を確立し、実施することにより、産業上利用可能性があるものである。
【符号の説明】
【００２４】
１  スマートフォン
２  係止バンド
３  保持部材  
３Ａ  固定板材
３ａ、３ａ´  ストッパー
３Ｂ  スライド板材
３ｂ  ブラケット
３ｃ  枢支軸
３ｄ  上部材
３ｄ´  下部材
４  吸盤
５  ネジ
α、α´  所定角度
【図１】
0003214844.tif 000003
【図２】
0003214844.tif 000004
【図３】
0003214844.tif 000005